(57)【要約】 【課題】  プリンタドライバによる給紙と排紙の設定時の操作性を高める。【解決手段】  ディスプレイに「プロパティ」のダイアログボックスＤＢ１を表示する。ダイアログボックスＤＢ１には、プリンタの外観を模式的に示す絵図の画像Ｐ１と、プリンタへの給紙に関わる情報を示す給紙掲示欄Ｐ２と、プリンタからの排紙に関わる情報を示す排紙掲示欄Ｐ３とが、引き出し線Ｌ１１〜Ｌ１６，Ｌ２１〜Ｌ３１によって関連づけて表示される。このため、給紙設定、排紙設定の両方を行なう際に、カードの切り替えが必要ない。給紙掲示欄Ｐ２には、１のトレイと５のカセットに対応するラジオボタンａ５が設けられており、これをクリックすることで使用したい給紙収納部を選択することができる。排紙掲示欄Ｐ３には、１０のビンと１のトレイに対応するチェックボックスａ８が設けられており、これをクリックすることで出力したい排紙収納部を選択することができる。【選択図】        図３
2005293607.tif 000002
【特許請求の範囲】
【請求項１】
表示装置と入力装置とを備え、該表示装置にデータ入力用の画面領域を表示しつつ、該画面領域の内容に従う前記入力装置からの入力データに基づいて、所定の印刷装置における印刷のための各種情報を設定する印刷情報設定装置であって、
前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる表示制御手段
を備える印刷情報設定装置。
【請求項２】
前記表示制御手段は、前記印刷装置の外観を示す絵図を前記印刷装置画像として表示させる手段を備える請求項１に記載の印刷情報設定装置。
【請求項３】
前記表示制御手段は、前記印刷装置画像の片側に前記給紙掲示欄を、前記印刷装置画像の他の片側に前記排紙掲示欄をそれぞれ配置する手段を備える請求項１または２に記載の印刷情報設定装置。
【請求項４】
前記表示制御手段は、前記画面領域内に、前記印刷装置画像と給紙掲示欄とを関連づける線条と、前記印刷装置画像と前記排紙掲示欄とを関連づける線条とをそれぞれ表示させる手段を備える請求項１ないし３のいずれかに記載の印刷情報設定装置。
【請求項５】
請求項１ないし４のいずれかに記載の印刷情報設定装置であって、
前記表示制御手段は、
前記給紙掲示欄に、前記印刷装置にセットされる複数の給紙収納部にそれぞれ対応する複数の画像を表示させる給紙収納部表示手段と、
前記給紙収納部表示手段にて表示される前記複数の画像の内で、前記印刷装置で現在使用し得る状態にある給紙収納部に対応する画像を、他の給紙収納部の画像と識別可能に表示させる給紙収納部識別表示手段と
を備える印刷情報設定装置。
【請求項６】
請求項５に記載の印刷情報設定装置であって、
前記入力装置からの入力データに基づいて、前記給紙収納部表示手段にて表示される前記複数の画像から一の画像を選択する給紙収納部選択手段と、
前記選択された給紙収納部を、前記印刷装置で現在使用し得る状態にある給紙収納部として設定する給紙収納部設定手段と
を備える印刷情報設定装置。
【請求項７】
請求項１ないし６のいずれかに記載の印刷情報設定装置であって、
前記印刷装置から給紙の残量についての情報を受け取る給紙残量情報受取手段を備え、
前記表示制御手段は、前記受け取った情報に基づく給紙の残量を表示させる給紙残量表示手段を備える印刷情報設定装置。
【請求項８】
請求項１ないし７のいずれかに記載の印刷情報設定装置であって、
前記印刷装置から排紙の取り残し状況についての情報を受け取る排紙取り残し情報受取手段を備え、
前記表示制御手段は、前記受け取った情報に基づく排紙の取り残し状況を表示させる排紙取出情報表示手段を備える印刷情報設定装置。
【請求項９】
前記表示制御手段は、前記排紙掲示欄に、前記印刷装置にセットされる複数の排紙収納部にそれぞれ対応する複数の画像を表示させる排紙収納部表示手段を備える請求項１ないし８のいずれかに記載の印刷情報設定装置。
【請求項１０】
請求項９に記載の印刷情報設定装置であって、
前記排紙収納部表示手段にて表示される前記複数の画像の内で、前記印刷装置で現在使用し得る状態にある排紙収納部に対応する画像を、他の排紙収納部の画像と識別可能に表示させる排紙収納部識別表示手段
を備える印刷情報設定装置。
【請求項１１】
請求項１０に記載の印刷情報設定装置であって、
前記入力装置からの入力データに基づいて、前記排紙収納部表示手段にて表示される前記複数の画像から１または複数の画像を選択する排紙収納部選択手段と、
前記選択された排紙収納部を、前記印刷装置で現在使用し得る状態にある排紙収納部として設定する排紙収納部設定手段と
を備える印刷情報設定装置。
【請求項１２】
請求項９ないし１１のいずれかに記載の印刷情報設定装置であって、
前記複数の排紙収納部に個別に使用者の使用権を設定する使用権設定手段を備え、
前記表示制御手段は、前記排紙収納部表示手段にて表示される前記複数の画像に、当該画像に対応する排紙収納部の前記使用権を示す使用権情報を付して表示させる手段を備える印刷情報設定装置。
【請求項１３】
請求項９ないし１２のいずれかに記載の印刷情報設定装置であって、
前記複数の排紙収納部から選択した複数の排紙収納部に対してソータとして使用することを設定するソータ設定手段を備え、
前記表示制御手段は、前記ソータ設定手段によりソータとしての使用が設定された排紙収納部に対応する前記画像に対して、ソータとしての使用を示す情報を付して表示させる手段を備える印刷情報設定装置。
【請求項１４】
請求項９に記載の印刷情報設定装置であって、
印刷条件に基づいて前記複数の排紙収納部の内から使用可能な排紙収納部を設定する使用排紙収納部設定手段と、
前記設定された使用可能な排紙収納部に対応する画像だけが表示されるように、前記排紙収納部表示手段での表示を制限する表示制限手段と
を備える印刷情報設定装置。
【請求項１５】
請求項１４に記載の印刷情報設定装置であって、
前記複数の排紙収納部に個別に使用者の使用権を設定する使用権設定手段を備え、
前記使用排紙収納部設定手段は、前記設定された使用権を前記印刷条件として設定する構成である印刷情報設定装置。
【請求項１６】
請求項１４に記載の印刷情報設定装置であって、
前記複数の排紙収納部から選択した複数の排紙収納部に対してソータとして使用することを設定するソータ設定手段を備え、
前記使用排紙収納部設定手段は、前記設定されたソータとしての使用を前記印刷条件として設定する構成である印刷情報設定装置。
【請求項１７】
請求項１４に記載の印刷情報設定装置であって、
前記印刷装置への給紙の種類を設定する手段を備え、
前記使用排紙収納部設定手段は、前記設定された給紙の種類を前記印刷条件として設定する構成である印刷情報設定装置。
【請求項１８】
請求項１ないし１７のいずれかに記載の印刷情報設定装置であって、
前記印刷装置の動作の状態についての情報を受け取る動作状態情報受取手段と、
前記受け取った情報に基づく動作の状態を前記画面領域内に表示させる動作状態表示手段と
を備える印刷情報設定装置。
【請求項１９】
請求項１ないし１８のいずれかに記載の印刷情報設定装置であって、
前記印刷装置から消耗品の残量についての情報を受け取る消耗品残量情報受取手段と、
前記受け取った情報に基づく消耗品の残量を前記画面領域内に表示させる消耗品残量表示手段と
を備える印刷情報設定装置。
【請求項２０】
前記表示制御手段は、前記印刷装置画像の位置に、印刷品質に関わる基本設定についての情報を表示させる基本設定情報表示制御手段を備える請求項１ないし１９のいずれかに記載の印刷情報設定装置。
【請求項２１】
前記基本設定情報表示制御手段により表示される前記情報を、前記入力装置を用いた操作により選択可能とし、当該選択がなされたときに、当該情報を変更しうる構成とする手段を備える請求項２０に記載の印刷情報設定装置。
【請求項２２】
前記表示制御手段は、前記印刷装置画像の位置に、前記印刷装置における印刷時の用紙の搬送経路を示す画像を表示させる手段を備える請求項１ないし２１のいずれかに記載の印刷情報設定装置。
【請求項２３】
表示装置にデータ入力用の画面領域を表示しつつ、該画面領域の内容に従う入力装置からの入力データに基づいて、所定の印刷装置における印刷のための各種情報を設定する印刷情報設定方法であって、
（ａ）前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる工程
を備える印刷情報設定方法。
【請求項２４】
前記工程（ａ）は、前記印刷装置の外観を示す絵図を前記印刷装置画像として表示させる工程を備える請求項２３に記載の印刷情報設定方法。
【請求項２５】
前記工程（ａ）は、前記印刷装置画像の片側に前記給紙掲示欄を、前記印刷装置画像の他の片側に前記排紙掲示欄をそれぞれ配置する工程を備える請求項２３に記載の印刷情報設定方法。
【請求項２６】
前記工程（ａ）は、前記画面領域内に、前記印刷装置画像と給紙掲示欄とを関連づける線条と、前記印刷装置画像と前記排紙掲示欄とを関連づける線条とをそれぞれ表示させる工程を備える請求項２３ないし２５のいずれかに記載の印刷情報設定方法。
【請求項２７】
表示装置にデータ入力用の画面領域を表示しつつ、該画面領域の内容に従う入力装置からの入力データに基づいて、所定の印刷装置における印刷のための各種情報を設定するためのコンピュータプログラムを記録したコンピュータ読取可能な記録媒体であって、
前記コンピュータプログラムは、
（ａ）前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる機能
を前記コンピュータに実現させるためのものであるコンピュータ読取可能な記録媒体。
【請求項２８】
前記機能（ａ）は、前記印刷装置の外観を示す絵図を前記印刷装置画像として表示させる機能を備える請求項２７に記載のコンピュータ読取可能な記録媒体。
【請求項２９】
前記機能（ａ）は、前記印刷装置画像の片側に前記給紙掲示欄を、前記印刷装置画像の他の片側に前記排紙掲示欄をそれぞれ配置する機能を備える請求項２７または２８に記載のコンピュータ読取可能な記録媒体。
【請求項３０】
前記機能（ａ）は、前記画面領域内に、前記印刷装置画像と給紙掲示欄とを関連づける線条と、前記印刷装置画像と前記排紙掲示欄とを関連づける線条とをそれぞれ表示させる機能を備える請求項２７ないし２９のいずれかに記載のコンピュータ読取可能な記録媒体。
【請求項３１】
請求項２７ないし３０のいずれかに記載のコンピュータ読取可能な記録媒体であって、
前記機能（ａ）は、
（ａ１）前記給紙掲示欄に、前記印刷装置にセットされる複数の給紙収納部にそれぞれ対応する複数の画像を表示させる機能と、
（ａ２）前記機能（ａ１）にて表示される前記複数の画像の内で、前記印刷装置で現在使用し得る状態にある給紙収納部に対応する画像を、他の給紙収納部の画像と識別可能に表示させる機能と
を備えるコンピュータ読取可能な記録媒体。
【請求項３２】
請求項３１に記載のコンピュータ読取可能な記録媒体であって、
前記コンピュータプログラムは、さらに、
（ｂ）前記入力装置からの入力データに基づいて、前記機能（ａ１）にて表示される前記複数の画像から一の画像を選択する機能と、
（ｃ）前記選択された給紙収納部を、前記印刷装置で現在使用し得る状態にある給紙収納部として設定する機能と
を前記コンピュータに実現させるためのものであるコンピュータ読取可能な記録媒体。
【請求項３３】
請求項２７ないし３２のいずれかに記載のコンピュータ読取可能な記録媒体であって、
前記コンピュータプログラムは、さらに、
（ｄ）前記印刷装置から給紙の残量についての情報を受け取る機能
を前記コンピュータに実現させるためのものであり、
前記機能（ａ）は、
（ａ３）前記機能（ｄ）により受け取った情報に基づく給紙の残量を表示させる機能
を備えるコンピュータ読取可能な記録媒体。
【請求項３４】
請求項２７ないし３３のいずれかに記載のコンピュータ読取可能な記録媒体であって、
前記コンピュータプログラムは、さらに、
（ｅ）前記印刷装置から排紙の取り残し状況についての情報を受け取る機能
を前記コンピュータに実現させるためのものであり、
前記機能（ａ）は、
（ａ４）前記機能（ｅ）により受け取った情報に基づく排紙の取り残し状況を表示させる機能
を備えるコンピュータ読取可能な記録媒体。
【請求項３５】
前記機能（ａ）は、
（ｆ）前記排紙掲示欄に、前記印刷装置にセットされる複数の排紙収納部にそれぞれ対応する複数の画像を表示させる機能
を備える請求項２７ないし３４のいずれかに記載のコンピュータ読取可能な記録媒体。
【請求項３６】
請求項３５に記載のコンピュータ読取可能な記録媒体であって、
前記コンピュータプログラムは、さらに、
（ｇ）前記機能（ｆ）にて表示される前記複数の画像の内で、前記印刷装置で現在使用し得る状態にある排紙収納部に対応する画像を、他の排紙収納部の画像と識別可能に表示させる機能
を前記コンピュータに実現させるためのものであるコンピュータ読取可能な記録媒体。
【請求項３７】
請求項３６に記載のコンピュータ読取可能な記録媒体であって、
前記コンピュータプログラムは、さらに、
（ｈ）前記入力装置からの入力データに基づいて、前記機能（ｇ）にて表示される前記複数の画像から１または複数の画像を選択する機能と、
前記選択された排紙収納部を、前記印刷装置で現在使用し得る状態にある排紙収納部として設定する機能と
を前記コンピュータに実現させるためのものであるコンピュータ読取可能な記録媒体。
【請求項３８】
請求項３５ないし３７のいずれかに記載のコンピュータ読取可能な記録媒体であって、
前記コンピュータプログラムは、さらに、
（ｉ）前記複数の排紙収納部に個別に使用者の使用権を設定する機能
を前記コンピュータに実現させるためのものであり、
前記機能（ａ）は、
（ａ５）前記機能（ｆ）にて表示される前記複数の画像に、当該画像に対応する排紙収納部の前記使用権を示す使用権情報を付して表示させる機能
を備えるコンピュータ読取可能な記録媒体。
【請求項３９】
請求項３５ないし３８のいずれかに記載のコンピュータ読取可能な記録媒体であって、
前記コンピュータプログラムは、さらに、
（ｊ）前記複数の排紙収納部から選択した複数の排紙収納部に対してソータとして使用することを設定する機能
を前記コンピュータに実現させるためのものであり、
前記機能（ａ）は、
（ａ６）前記機能（ｊ）によりソータとしての使用が設定された排紙収納部に対応する前記画像に対して、ソータとしての使用を示す情報を付して表示させる機能
を備えるコンピュータ読取可能な記録媒体。
【請求項４０】
請求項３５に記載のコンピュータ読取可能な記録媒体であって、
前記コンピュータプログラムは、さらに、
（ｋ）印刷条件に基づいて前記複数の排紙収納部の内から使用可能な排紙収納部を設定する機能と、
（ｌ）前記設定された使用可能な排紙収納部に対応する画像だけが表示されるように、前記排紙収納部表示手段での表示を制限する機能と
を前記コンピュータに実現させるためのものであるコンピュータ読取可能な記録媒体。
【請求項４１】
請求項４０に記載のコンピュータ読取可能な記録媒体であって、
前記コンピュータプログラムは、さらに、
（ｍ）前記複数の排紙収納部に個別に使用者の使用権を設定する機能
を前記コンピュータに実現させるためのものであり、
前記機能（ｋ）は、前記設定された使用権を前記印刷条件として設定する構成であるコンピュータ読取可能な記録媒体。
【請求項４２】
請求項４０に記載のコンピュータ読取可能な記録媒体であって、
前記コンピュータプログラムは、さらに、
（ｎ）前記複数の排紙収納部から選択した複数の排紙収納部に対してソータとして使用することを設定する機能
を前記コンピュータに実現させるためのものであり、
前記機能（ｋ）は、前記設定されたソータとしての使用を前記印刷条件として設定する構成であるコンピュータ読取可能な記録媒体。
【請求項４３】
請求項４０に記載のコンピュータ読取可能な記録媒体であって、
前記コンピュータプログラムは、さらに、
（ｏ）前記印刷装置への給紙の種類を設定する機能
を前記コンピュータに実現させるためのものであり、
前記機能（ｋ）は、前記設定された給紙の種類を前記印刷条件として設定する構成であるコンピュータ読取可能な記録媒体。
【請求項４４】
請求項２７ないし４３のいずれかに記載のコンピュータ読取可能な記録媒体であって、
前記コンピュータプログラムは、さらに、
（ｐ）前記印刷装置の動作の状態についての情報を受け取る機能と、
（ｑ）前記受け取った情報に基づく動作の状態を前記画面領域内に表示させる機能と
を前記コンピュータに実現させるためのものであるコンピュータ読取可能な記録媒体。
【請求項４５】
請求項２７ないし４４のいずれかに記載のコンピュータ読取可能な記録媒体であって、
前記コンピュータプログラムは、さらに、
（ｒ）前記印刷装置から消耗品の残量についての情報を受け取る機能と、
（ｓ）前記受け取った情報に基づく消耗品の残量を前記画面領域内に表示させる機能と
を備えるコンピュータ読取可能な記録媒体。
【請求項４６】
前記機能（ａ）は、
（ａ７）前記印刷装置画像の位置に、印刷品質に関わる基本設定についての情報を表示させる機能
を備える請求項２７ないし４５のいずれかに記載のコンピュータ読取可能な記録媒体。
【請求項４７】
請求項４６に記載のコンピュータ読取可能な記録媒体であって、
前記コンピュータプログラムは、さらに、
（ｔ）前記機能（ａ７）により表示される前記情報を、前記入力装置を用いた操作により選択可能とし、当該選択がなされたときに、当該情報を変更しうる構成とする機能
を前記コンピュータに実現させるためのものであるコンピュータ読取可能な記録媒体。
【請求項４８】
前記機能（ａ）は、
（ｕ）前記印刷装置画像の位置に、前記印刷装置における印刷時の用紙の搬送経路を示す画像を表示させる機能
を備える請求項２７ないし４７のいずれかに記載のコンピュータ読取可能な記録媒体。
【発明の詳細な説明】
【技術分野】
【０００１】
この発明は、表示装置にデータ入力用の画面領域を表示しつつ、その画面領域の内容に従う入力装置からの入力データに基づいて、所定の印刷装置における印刷のための各種情報を設定する技術に関する。
【背景技術】
【０００２】
一般に、プリンタをコンピュータにつないで、コンピュータで作成した印刷データをプリンタに印刷しようとするとき、コンピュータにプリンタドライバと呼ばれるソフトウェアを組み込む必要がある。プリンタドライバは、プリンタの機能やインターフェース、フォント情報、制御コードなど、プリンタについての各種情報をコンピュータに設定してプリンタをコントロールするコンピュータプログラムであり、印刷しようとするプリンタの機種ごとに用意される。
【０００３】
使用者は、コンピュータを操作して、コンピュータに組み込んだプリンタドライバを起動して、「プロパティ」のダイアログボックスをディスプレイに表示する。このダイアログボックスから、印刷品質、色補正等の印刷の基本設定に関する情報や、給紙装置の選択等の給紙設定に関する情報や、排紙先等の排紙設定に関する情報等、各種情報の設定を行なうことが可能となる。なお、これら各種情報は、設定する機能毎に、例えば、基本設定、給紙設定、排紙設定というように、複数の組に分けて個別のカードに分配されており、使用者は、これら複数の設定用カードの中から所望のものを選択して、その選択したカードから情報の設定のためのデータ入力を行なっていた。
【０００４】
しかしながら、前記従来の技術では、給紙設定と排紙設定の両方を行なおうとすると、一々カードの切り替えを行なう必要があり、使用者にとって操作性が悪いといった問題があった。なお、給紙設定と排紙設定を１枚のカードに詰め込む構成も考えられるが、両者を単に並記するだけでは、給紙と排紙の関わり合いがわからず、このために、操作性は良くない。
【発明の開示】
【発明が解決しようとする課題】
【０００５】
この発明は、従来技術における上述の課題を解決するためになされたものであり、プリンタドライバによる給紙と排紙の設定時の操作性を高めることを課題とする。
【課題を解決するための手段】
【０００６】
このような課題を解決するため、この発明の印刷情報設定装置は、
表示装置と入力装置とを備え、該表示装置にデータ入力用の画面領域を表示しつつ、該画面領域の内容に従う前記入力装置からの入力データに基づいて、所定の印刷装置における印刷のための各種情報を設定する印刷情報設定装置であって、
前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる表示制御手段
を備えることを特徴としている。
【０００７】
この構成によれば、印刷装置と、給紙に関わる情報を示す給紙掲示欄と、排紙に関わる情報を示す排紙掲示欄とが関連づけて表示されることから、給紙設定と排紙設定の両方を行なおうとする際に、従来のようにカードの切り替えを行なう必要がなく、また、上記関連づけによって、給紙、印刷、排紙といった一連の処理の関わり合いを知ることができることから、データ入力の操作性が優れている。
【０００８】
上記構成の印刷情報設定装置において、前記表示制御手段は、前記印刷装置の外観を示す絵図を前記印刷装置画像として表示させる手段を備える構成とすることができる。
【０００９】
この構成によれば、使用者は、印刷装置を絵図から知ることができることから、表示が見易い。この結果、データ入力の操作性がより優れている。
【００１０】
上記構成の印刷情報設定装置において、前記表示制御手段は、前記印刷装置画像の片側に前記給紙掲示欄を、前記印刷装置画像の他の片側に前記排紙掲示欄をそれぞれ配置する手段を備える構成とすることができる。
【００１１】
この構成によれば、給紙、印刷、排紙の一連の処理がその順に並ぶことから、表示が見易い。この結果、データ入力の操作性がより優れている。
【００１２】
上記構成の印刷情報設定装置において、前記表示制御手段は、前記画面領域内に、前記印刷装置画像と給紙掲示欄とを関連づける線条と、前記印刷装置画像と前記排紙掲示欄とを関連づける線条とをそれぞれ表示させる手段を備える構成とすることができる。
【００１３】
この構成によれば、関連づけを線条によって一目で知ることができる。この結果、データ入力の操作性がより優れている。
【００１４】
上記構成の印刷情報設定装置において、前記表示制御手段は、前記給紙掲示欄に、前記印刷装置にセットされる複数の給紙収納部にそれぞれ対応する複数の画像を表示させる給紙収納部表示手段と、前記給紙収納部表示手段にて表示される前記複数の画像の内で、前記印刷装置で現在使用し得る状態にある給紙収納部に対応する画像を、他の給紙収納部の画像と識別可能に表示させる給紙収納部識別表示手段とを備える構成とすることができる。
【００１５】
この構成によれば、給紙装置として複数の給紙収納部を備える場合に、使用し得る状態にある給紙収納部を識別しつつ、それら複数の給紙収納部を知ることができる。この結果、データ入力の操作性がより優れている。
【００１６】
上記構成の印刷情報設定装置において、前記入力装置からの入力データに基づいて、前記給紙収納部表示手段にて表示される前記複数の画像から一の画像を選択する給紙収納部選択手段と、前記選択された給紙収納部を、前記印刷装置で現在使用し得る状態にある給紙収納部として設定する給紙収納部設定手段とを備える構成とすることができる。
【００１７】
この構成によれば、使用者は入力装置を操作することにより、使用する給紙収納部を選択することができる。この結果、データ入力の操作性がより優れている。
【００１８】
上記構成の印刷情報設定装置において、前記印刷装置から給紙の残量についての情報を受け取る給紙残量情報受取手段を備え、前記表示制御手段は、前記受け取った情報に基づく給紙の残量を表示させる給紙残量表示手段を備える構成とすることができる。
【００１９】
この構成によれば、給紙の残量が表示されることから、使用者は、印刷装置が離れたところにあっても、給紙の残量を手元から知ることができる。この結果、印刷処理の生産性を高めることができる。
【００２０】
上記構成の印刷情報設定装置において、前記印刷装置から排紙の取り残し状況についての情報を受け取る排紙取り残し情報受取手段を備え、前記表示制御手段は、前記受け取った情報に基づく排紙の取り残し状況を表示させる排紙取出情報表示手段を備える構成とすることができる。
【００２１】
この構成によれば、排紙の取り残し状況が表示されることから、使用者は、印刷装置が離れたところにあっても、排紙の取り残し状況を手元から知ることができる。この結果、印刷処理の生産性を高めることができる。
【００２２】
上記構成の印刷情報設定装置において、前記表示制御手段は、前記排紙掲示欄に、前記印刷装置にセットされる複数の排紙収納部にそれぞれ対応する複数の画像を表示させる排紙収納部表示手段を備える構成とすることができる。
【００２３】
この構成のよれば、排紙装置として複数の排紙収納部を備える場合に、それら複数の排紙収納部を表示することができる。この結果、データ入力の操作性がより優れている。
【００２４】
上記構成の印刷情報設定装置において、前記排紙収納部表示手段にて表示される前記複数の画像の内で、前記印刷装置で現在使用し得る状態にある排紙収納部に対応する画像を、他の排紙収納部の画像と識別可能に表示させる排紙収納部識別表示手段とを備える構成とすることできる。
【００２５】
この構成によれば、排紙装置として複数の排紙収納部を備える場合に、使用し得る状態にある排紙収納部を識別しつつ、それら複数の排紙収納部を知ることができる。この結果、データ入力の操作性がより優れている。
【００２６】
上記構成の印刷情報設定装置において、前記入力装置からの入力データに基づいて、前記排紙収納部表示手段にて表示される前記複数の画像から１または複数の画像を選択する排紙収納部選択手段と、前記選択された排紙収納部を、前記印刷装置で現在使用し得る状態にある排紙収納部として設定する排紙収納部設定手段とを備える構成とすることできる。
【００２７】
この構成によれば、使用者は入力装置を操作することにより、使用する排紙収納部を選択することができる。この結果、データ入力の操作性がより優れている。
【００２８】
上記構成の印刷情報設定装置において、前記複数の排紙収納部に個別に使用者の使用権を設定する使用権設定手段を備え、前記表示制御手段は、前記排紙収納部表示手段にて表示される前記複数の画像に、当該画像に対応する排紙収納部の前記使用権を示す使用権情報を付して表示させる手段を備える構成とすることができる。
【００２９】
この構成によれば、複数の排紙収納部に個別に使用者の使用権が設定されて、その使用権を示す使用権情報が表示される。このため、使用者は自分の出力文書を探す手間を軽減することができる。この結果、印刷処理の生産性を高めることができる。
【００３０】
上記構成の印刷情報設定装置において、前記複数の排紙収納部から選択した複数の排紙収納部に対してソータとして使用することを設定するソータ設定手段を備え、前記表示制御手段は、前記ソータ設定手段によりソータとしての使用が設定された排紙収納部に対応する前記画像に対して、ソータとしての使用を示す情報を付して表示させる手段を備える構成とすることができる。
【００３１】
この構成によれば、ソータとしての使用を行なうことができることから、複数部の印刷が容易となる。この結果、印刷処理の生産性を高めることができる。
【００３２】
上記構成の印刷情報設定装において、印刷条件に基づいて前記複数の排紙収納部の内から使用可能な排紙収納部を設定する使用排紙収納部設定手段と、前記設定された使用可能な排紙収納部に対応する画像だけが表示されるように、前記排紙収納部表示手段での表示を制限する表示制限手段とを備える構成とすることができる。
【００３３】
この構成によれば、印刷条件によって使用が不可能な排紙収納部は表示されることがない。このため、排紙収納部の選択が容易となり、データ入力の操作性がより優れている。
【００３４】
上記構成の印刷情報設定装置において、前記複数の排紙収納部に個別に使用者の使用権を設定する使用権設定手段を備え、前記使用排紙収納部設定手段は、前記設定された使用権を前記印刷条件として設定する構成とすることができる。
【００３５】
この構成によれば、使用権によって使用が不可能となった排紙収納部は表示されることがない。
【００３６】
上記構成の印刷情報設定装置において、前記複数の排紙収納部から選択した複数の排紙収納部に対してソータとして使用することを設定するソータ設定手段を備え、前記使用排紙収納部設定手段は、前記設定されたソータとしての使用を前記印刷条件として設定する構成とすることができる。
【００３７】
この構成によれば、ソータとしての使用によって使用が不可能となった排紙収納部は表示されることがない。
【００３８】
上記構成の印刷情報設定装置において、前記印刷装置への給紙の種類を設定する手段を備え、前記使用排紙収納部設定手段は、前記設定された給紙の種類を前記印刷条件として設定する構成とすることができる。
【００３９】
この構成によれば、給紙の種類によって使用が不可能となった排紙収納部は表示されることがない。
【００４０】
上記構成の印刷情報設定装置において、前記印刷装置の動作の状態についての情報を受け取る動作状態情報受取手段と、前記受け取った情報に基づく動作の状態を前記画面領域内に表示させる動作状態表示手段とを備える構成とすることができる。
【００４１】
この構成によれば、使用者は、印刷装置が離れたところにあっても、印刷装置の動作の状態を手元から知ることができる。この結果、印刷処理の生産性を高めることができる。
【００４２】
上記構成の印刷情報設定装置において、前記印刷装置から消耗品の残量についての情報を受け取る消耗品残量情報受取手段と、前記受け取った情報に基づく消耗品の残量を前記画面領域内に表示させる消耗品残量表示手段とを備える構成とすることができる。
【００４３】
この構成によれば、使用者は、印刷装置が離れたところにあっても、インク、用紙等の残量を手元から知ることができる。この結果、印刷処理の生産性を高めることができる。
【００４４】
上記構成の印刷情報設定装置において、前記表示制御手段は、前記印刷装置画像の位置に、印刷品質に関わる基本設定についての情報を表示させる基本設定情報表示制御手段を備える構成とすることができる。
【００４５】
この構成によれば、使用者は、印刷品質に関わる基本設定についての情報を容易に知ることができる。この結果、データ入力の操作性がより優れている。
【００４６】
上記構成の印刷情報設定装置において、前記基本設定情報表示制御手段により表示される前記情報を、前記入力装置を用いた操作により選択可能とし、当該選択がなされたときに、当該情報を変更しうる構成とする手段を備える構成とすることができる。
【００４７】
この構成によれば、印刷品質に関わる基本設定を変更することが容易である。この結果、データ入力の操作性がより優れている。
【００４８】
上記構成の印刷情報設定装置において、前記表示制御手段は、前記印刷装置画像の位置に、前記印刷装置における印刷時の用紙の搬送経路を示す画像を表示させる手段を備える構成とすることができる。
【００４９】
この構成によれば、使用者は、印刷装置における印刷時の用紙の搬送経路を知ることができる。
【００５０】
この発明の方法は、
表示装置にデータ入力用の画面領域を表示しつつ、該画面領域の内容に従う入力装置からの入力データに基づいて、所定の印刷装置における印刷のための各種情報を設定する印刷情報設定方法であって、
（ａ）前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる工程
を備えることを特徴としている。
【００５１】
この発明の方法によっても、この発明の装置と同様に、データ入力の操作性が優れているという効果を奏する。
【００５２】
この発明の記録媒体は、
表示装置にデータ入力用の画面領域を表示しつつ、該画面領域の内容に従う入力装置からの入力データに基づいて、所定の印刷装置における印刷のための各種情報を設定するためのコンピュータプログラムを記録したコンピュータ読取可能な記録媒体であって、
前記コンピュータプログラムは、
（ａ）前記画面領域内に、前記印刷装置に対応する画像である印刷装置画像と、前記印刷装置への給紙に関わる情報を示す給紙掲示欄と、前記印刷装置からの排紙に関わる情報を示す排紙掲示欄とを関連づけて表示させる機能
を前記コンピュータに実現させるためのものであることを特徴としている。
【００５３】
この発明の記録媒体によっても、この発明の装置または方法と同様に、データ入力の操作性が優れているという効果を奏する。
【００５４】
この発明は、以下のような他の態様も含んでいる。その第１の態様は、コンピュータに上記の発明の各工程または各手段の機能を実現させるコンピュータプログラムとしての態様である。第２の態様は、そのコンピュータプログラムを含むことで搬送波内に具現化されたデータ信号としての態様である。第３の態様は、コンピュータプログラムを通信経路を介して供給するプログラム供給装置としての態様である。この第３の態様では、プログラムをネットワーク上のサーバなどに置き、通信経路を介して、必要なプログラムをコンピュータにダウンロードし、これを実行することで、上記の方法や装置を実現することができる。
【発明を実施するための最良の形態】
【００５５】
以上説明したこの発明の構成・作用を一層明らかにするために、以下この発明の実施の形態を実施例に基づき説明する。図１はこの発明の第１実施例を適用するコンピュータシステムのハードウェアの概略構成を示すブロック図である。
【００５６】
図１に示すように、この実施例のコンピュータ１０には、他のコンピュータ１００や、実質的にコンピュータ機能を有するプリンタ１１０，１２０や、共有データベースを備えたサーバ１３０などが、ローカルエリアネットワーク（ＬＡＮ）により構築されたコンピュータネットワーク１５０を介して接続されている。なお、ネットワーク１５０は、ＬＡＮに替えて、インターネットや、イントラネットや、ワイドエリアネットワーク（ＷＡＮ）など、各種ネットワークに替えることができる。プリンタ１１０、１２０は、ドラムにレーザ光を当てて像を作り、トナーで現像して用紙に転写する所謂レーザプリンタである。なお、プリンタ１１０，１２０としては、インクジェットプリンタ、熱転写プリンタなど、各種プリンタを適用することができる。
【００５７】
コンピュータ１０には、周辺機器としてのＣＲＴディスプレイ１２が接続される。コンピュータ１０は、コンピュータ本体１６とキーボード１８とマウス２０を備える。なお、このコンピュータ本体１６には、フロッピィディスク２２の内容を読み取るフロッピィディスクドライブ２４が搭載されている。
【００５８】
コンピュータ本体１６は、中央演算処理装置としてのＣＰＵ３０を中心にバスにより相互に接続されたＲＯＭ３１、ＲＡＭ３２、表示画像メモリ３３、マウスインタフェース３４、キーボードインタフェース３５、ＦＤＣ３６、ＨＤＣ３７、ＣＲＴＣ３８、プリンタインタフェース３９およびネットワーク制御回路４０を備える。
【００５９】
ＲＯＭ３１は、内蔵されている各種プログラム等を記憶する読み出し専用のメモリである。ＲＡＭ３２は、各種データ等を記憶する読み出し・書込み可能なメモリである。表示画像メモリ３３はＣＲＴディスプレイ１２に表示する画像の画像データを記憶するメモリである。マウスインタフェース３４は、マウス２０とのデータ等のやり取りを司るインタフェースである。キーボードインタフェース３５は、キーボード１８からのキー入力を司るインタフェースである。ＦＤＣ３６は、フロッピィディスクドライブ（ＦＤＤ）２４を制御するフロッピィディスクコントローラである。ＨＤＣ３７は、ハードディスクドライブ（ＨＤＤ）４１を制御するハードディスクコントローラである。
【００６０】
ＣＲＴＣ３８は、表示画像メモリ３３に記憶される表示画像データに基づいてＣＲＴディスプレイ１２における画像の表示を制御するＣＲＴコントローラである。プリンタインタフェース３９は、ローカルにて接続されるプリンタへのデータの出力を制御するインタフェースであり、図示の例ではローカルにて接続されるプリンタはないが、適宜必要に応じて設ける構成とすることが出来る。ネットワーク制御回路４０は、ネットワークカードなどから成り、コンピュータネットワーク１５０に接続されている。なお、ネットワーク制御回路４０は、コンピュータネットワーク１５０が電話線でつないで作るネットワークの場合には、モデムから構成される。
【００６１】
このコンピュータシステムでは、オペレーティングシステムはＨＤＤ４１に記憶されており、コンピュータ本体１６に電源を投入すると、ＨＤＤ４１のブートブロックに書き込まれたローダに従ってＲＡＭ３２の所定の領域にロードされる。また、プリンタの機種毎に用意されるプリンタドライバは、フロッピィディスク２２に予め格納されており、所定のインストールプログラムを起動することで、フロッピィディスクドライブ２４からコンピュータ本体１６にインストールされる。このインストールされたプリンタドライバは、ＨＤＤ４１に記憶されており、コンピュータ本体１６に電源を投入したときに、オペレーティングシステムに組み込まれ、ＲＡＭ３２の所定の領域にロードされる。
【００６２】
以上説明したハードウェア構成を有するコンピュータシステムによる印刷の様子について次に説明する。図２は、コンピュータ本体１６が扱う画像情報から印刷が行なわれるまでの処理の様子を示すブロック図である。図示するように、コンピュータ本体１６の内部で動作しているアプリケーションプログラム５１により、画像の処理を行いつつビデオドライバ５２を介してＣＲＴディスプレイ１２に画像を表示している。また、このアプリケーションプログラム５１が、印字発令を発行すると、コンピュータ本体１６内のプリンタドライバ５３が、画像情報をアプリケーションプログラム５１から受け取り、これを現在使う状態にあるプリンタ１１０（以下、使う状態にあるのはプリンタ１１０として説明を続ける）が印字可能な信号に変換している。
【００６３】
図２に示した例では、プリンタドライバ５３の内部には、アプリケーションプログラム５１が扱っている画像情報をドット単位の色情報に変換するラスタライザ５４、ドット単位の色情報に変換された画像情報（階調データ）に対してプリンタ１１０の発色の特性に応じた色補正を行なう色補正モジュール５５、色補正された後の画像情報からドット単位でのトナーの有無によりある面積での濃度を表現するいわゆるハーフトーンの画像情報を生成するハーフトーンモジュール５６が備えられている。また、プリンタドライバ５３の内部には、プリンタ１１０による印刷のための各種情報を設定する情報設定モジュール５７が備えられている。印刷のための各種情報としては、印刷品質、色補正、ハーフトーンの種類等の印刷の基本設定に関するもの、プリンタにおける給紙および排紙についての給排紙設定に関するもの等がある。
【００６４】
なお、この実施例では、ハーフトーンモジュール５６は、コンピュータ１０側に設けられていたが、これに替えて、接続されるプリンタ１１０，１２０側にハーフトーンモジュールを設ける構成としてもよい。近年のレーザプリンタでは、内蔵するコンピュータが高機能のものとなっていることから、プリンタ側に上記ハーフトーンモジュールの機能を持たせることは容易である。
【００６５】
情報設定モジュール５７で設定された色補正の情報は、色補正モジュール５５に送られ、ハーフトーンの種類の情報は、ハーフトーンモジュール５６に送られる。情報設定モジュール５７は、ビデオドライバ５２を介してＣＲＴディスプレイ１２に設定の内容を示す画像を表示している。情報設定モジュール５７には、この発明の主要部としての表示制御部５７ａおよびプリンタ状態受取部５７ｂが備えられている。情報設定モジュール５７を除いた各モジュールの動作は、周知のものなので、説明は原則として省略し、情報設定モジュール５７については、以下に説明する。
【００６６】
プリンタドライバ５３は、その設定を変えることにより、プリンタ１１０による印刷を種々コントロールすることができるが、作業者は、そうした設定を予め行なっておく必要がある。こうした印刷のための各種情報を設定する作業を実行するのが情報設定モジュール５７である。ここでは、この情報設定モジュール５７の動作によりＣＲＴディスプレイ１２にどのような画面が表示されるかを先に説明する。なお、この説明に当たり、このプリンタドライバが動作するオペレーティングシステムとして、Ｗｉｎｄｏｗｓ９５（マイクロソフト社の商標）を例にとって説明する。
【００６７】
作業者は、まずコンピュータ１０を次のように操作して、印刷のための各種情報を設定するダイアログボックスをＣＲＴディスプレイ１２に表示する。すなわち、［スタート］→［設定］→［プリンタ］の操作を行なうことで、「プリンタ」ウィンドウを開く。次いで、そのウィンドウ上の目的のプリンタ（上記プリンタ１１０であり、ここでは、機種名が「ＰＲ−００」であるものとする）のアイコンをダブル・クリックして、そのプリンタについてのウィンドウを開く。その後、そのウィンドウから［プリンタ］→［プロパティ]の操作を行なって、そのプリンタについての各種情報を設定する「プロパティ」のダイアログボックスを表示させる。
【００６８】
図３は、その開いたときの「プロパティ」のダイアログボックスＤＢ１を例示する説明図である。図示するように、ダイアログボックスＤＢ１には、その中央に、プリンタ１１０の外観を模式的に示す絵図の画像Ｐ１が表示されており、その画像Ｐ１の左側には、プリンタ１１０への給紙に関わる情報を示す給紙掲示欄Ｐ２が表示されており、画像Ｐ１の右側には、プリンタ１１０からの排紙に関わる情報を示す排紙掲示欄Ｐ３が表示されている。
【００６９】
上記プリンタ１１０に対応した画像Ｐ１は、アイコンの機能を備えており、この画像Ｐ１がマウス２０によってクリックされると、前述した印刷の基本設定を行なうための図示しないウィンドウが起動表示される。なお、この「基本設定」のウィンドウについては、この発明と直接関係しないことから説明を省略する。
【００７０】
画像Ｐ１で示されるプリンタ１１０は、図示するように、給紙の収納部として、１つの用紙トレイと５つのカセットを備えており、排紙の収納部として、１０の排出先を持つ１０ビンマルチビンユニットと１つのフェイスダウントレイを備えている。給紙掲示欄Ｐ２には、上記１つの用紙トレイと５つのカセットに対応する６つの表示フィールドｆ１１，ｆ１２，ｆ１３，ｆ１４，ｆ１５，ｆ１６が設けられている。各表示フィールドｆ１１〜ｆ１６には、対応する給紙収納部の名前を示す文字列エリアａ１と、収納される用紙（給紙）のサイズを示す文字列エリアａ２と、収納される用紙の種類を示す文字列エリアａ３と、用紙残量を棒グラフで示す用紙残量メータａ４と、使用する給紙収納部を選択するためのラジオボタンａ５とが設けられている。各表示フィールドｆ１１〜ｆ１６と、画像Ｐ１における給紙用の１つの用紙トレイと５つのカセットの部分とは、引き出し線Ｌ１１，Ｌ１２，Ｌ１３，Ｌ１４，Ｌ１５，Ｌ１６によってそれぞれ関連づけられている。
【００７１】
各表示フィールドｆ１１〜ｆ１６の文字列エリアａ１には、「用紙トレイ」、「カセット１」、「カセット２」、「カセット３」、「カセット４」、「カセット５」といった予め定められた文字列が示されている。文字列エリアａ２には、「Ａ４」、「Ａ３」、「Ｂ４」等の複数の候補から選択された所望のものが示されている。文字列エリアａ３には、「普通紙」、「再生紙」、「ＯＨＰ」等の複数の候補から選択された所望のものが示されている。ラジオボタンａ５は、マウス２０によりクリックされてオンオフされ、使用する給紙収納部を示す。
【００７２】
排紙掲示欄Ｐ３には、上記１０ビンマルチビンユニットの１０のビンと１つのフェイスダウントレイに対応する１１の表示フィールドｆ２１，ｆ２２，ｆ２３，ｆ２４，ｆ２５，ｆ２６、ｆ２７，ｆ２８，ｆ２９，ｆ３０，ｆ３１が設けられている。各表示フィールドｆ２１〜ｆ３１には、対応する排紙収納部の名前を示す文字列エリアａ６と、ビンの使用権等の付加情報を示す文字列エリアａ７と、使用する排紙収納部を選択するためのチェックボックスａ８とが設けられている。各表示フィールドｆ２１〜ｆ３１と、画像Ｐ１における排紙用の１０のビンと１つのフェイスダウントレイの部分とは、引き出し線Ｌ２１，Ｌ２２，...，Ｌ３１によってそれぞれ関連づけられている。
【００７３】
各表示フィールドｆ２１〜ｆ３１の文字列エリアａ６には、「ビン１」、「ビン２」、...「ビン１０」、「ビン１１」といった予め定められた文字列が示されている。文字列エリアａ７には、「部長」、「課長」、「係長」等の使用者（厳密には、使用するコンピュータ）の識別名等が示されている。なお、識別名は、排紙掲示欄Ｐ３の下側にある「ビンネームの編集」のボタンｂｔ１をクリックすることで編集することが可能となっている。
【００７４】
図４は、「ビンネームの編集」のボタンｂｔ１がクリックされたときに表示される「ビンネームの編集」のウィンドウＷＤを示す説明図である。図示するように、この「ビンネームの編集」のウィンドウＷＤには、使用権の設定を行なうことを指示する第１のチェックボックスｃｈ１と、ソータとして使用することを指示する第２のチェックボックスｃｈ２とが設けられている。使用者は、排出先ネームのデータ入力欄ｆｄから所望の排紙収納部の名前を選んで、その後、チェックボックスｃｈ１をクリックすることで、その排紙収納部のどこに出力文書を送るかを指定することができる。すなわち、このプリンタドライバの設定を行なっているコンピュータからは、上記データ入力欄ｆｄ１にセットした名前の排紙収納部に出力文書を送ることを設定することができる。なお、このとき、第２フィールドｆｄ２にキーボード１８を操作して文字列を入力することで、排紙掲示欄Ｐ３の文字列エリアａ７に「部長」、「課長」、「係長」等の使用者の識別名を表示させることができる。
【００７５】
なお、「ビンネームの編集」のウィンドウＷＤの第２のチェックボックスｃｈ２をクリックすることにより、ソータとして使用することを設定することができるが、この設定がなされたときには、図５に示すように、排紙掲示欄Ｐ３の文字列エリアａ７には、「ソータ１」、「ソータ２」、...の文字が表示される。
【００７６】
図３に戻って、上記給紙掲示欄Ｐ２の上側には、プリンタ１１０の動作の状態を示すウィンドウＰ４が設けられている。ここで、動作の状態の一例としては、節電状態、レディ状態、通信エラーの状態等がある。また、排紙掲示欄Ｐ３の上側には、トナーの残量を示すトナー残量メータＰ５が設けられている。これらの他にも、このダイアログボックスＤＢ１には、「ＯＫ」、「キャンセル」の各ボタンｂｔ２，ｂｔ３がそれぞれ設けられている。
【００７７】
上記構成の「プロパティ」のダイアログボックスＤＢ１によれば、給紙掲示欄Ｐ２から、各給紙収納部に、どういった種類の用紙が収納され、その用紙の残量はどれだけあるかを知ることができ、さらには、ラジオボタンａ５を選択することで、使用する１の給紙収納部を設定することができる。また、排紙掲示欄Ｐ３から、各排紙収納部についての使用権を知ることができ、さらには、チェックボックスａ８を選択することで、使用する１または複数の給紙収納部を設定することができる。さらには、プリンタの絵図を示す画像Ｐ１をクリックすることにより、印刷の基本設定を行なうためのウィンドウの起動も可能である。
【００７８】
上述したＣＲＴディスプレイ１２への画面表示は、プリンタドライバ５３の情報設定モジュール５７の処理ルーチンをＣＰＵ３０が実行することで行なわれる。この情報設定モジュール５７の処理ルーチンについて次に説明する。
【００７９】
図６は、その情報設定モジュール５７の処理ルーチンを示すフローチャートである。この情報設定処理ルーチンは、前述したように、プリンタについてのウィンドウを開いて、そのウィンドウから［プリンタ］→［プロパティ]の操作がなされたときに、実行開始される。
【００８０】
図示するように、ＣＰＵ３０は、処理が開始されると、まず、「プロパティ」のダイアログボックスＤＢ１を示す画像データをＣＲＴディスプレイ１２に表示するダイアログボックス表示の処理ルーチンを実行する（ステップＳ１００）。その後、そのＣＲＴディスプレイ１２の表示画面を見た作業者によるキーボード１８およびマウス２０を用いたデータ入力の操作を受けて、各種データを入力する（ステップＳ２００）。次いで、その入力されたデータから、プリンタの絵図の画像Ｐ１がクリックされたか否かを判別して（ステップＳ３００）、ここで、クリックされていないと判別されると、ステップＳ４００に処理を進めて、その入力された各種データをＲＡＭ３２上の所定の領域に記憶する（ステップＳ４００）。なお、入力された各種データがどういった意味を持つデータかは、予め用意した参照テーブルに照らし合わせることで、そのデータ入力欄の座標値に対応した項目名を知ることができ、この項目名によってＲＡＭ上の記憶する位置が定まる。
【００８１】
一方、ステップＳ３００で、画像Ｐ１がクリックされたと判別されると、前述した「基本設定」のウィンドウを表示する基本設定ルーチンに進む。
【００８２】
ステップＳ１００では、図３に例示する「プロパティ」のダイアログボックスＤＢ１の画像データをＣＲＴディスプレイ１２に表示するが、作業者は、そのＣＲＴディスプレイ１２に表示された画像データを見ながらマウス２０を操作して、例えば、給紙掲示欄Ｐ２の「用紙トレイ」の表示フィールドｆ１１内のラジオボタンａ５をクリックする操作を行なう。ステップＳ２００では、ＣＰＵ３０は、そのラジオボタンａ５がクリックされた旨を示すデータを取り込む処理を行なう。ステップＳ４００では、そのクリックされたラジオボタンａ５で示される「用紙トレイ」の旨のデータを、ＲＡＭ３２上の所定の領域に記憶する処理を行なう。
【００８３】
ステップＳ４００により、こうしてデータの記憶の作業を終了すると、作業者によって、表示画面中の「ＯＫ」のボタンｂｔ２がクリックされたか否かを判別して（ステップＳ５００）、クリックされていない場合には、ステップＳ１００に処理を戻して、この情報設定処理ルーチンを繰り返し実行する。一方、ステップＳ５００で、「ＯＫ」のボタンｂｔ２がクリックされたと判別されると、この情報設定処理ルーチンを終了する。
【００８４】
次に、ステップＳ１００で実行されるダイアログボックス表示の処理ルーチンについて詳述する。図７はそのダイアログボックス表示の処理ルーチンを示すフローチャートである。ＣＰＵ３０は、ステップＳ１００に処理が移ると、図７に示すように、まず、「プロパティ」のダイアログボックスＤＢ１のベースとなるベース画像データＤＴをＲＡＭ３２から読み込み（ステップＳ１１０）、そのベース画像データＤＴを表示画像メモリ３３に転送する（ステップＳ１２０）。ここで、ベース画像データＤＴとは、図３で示したダイアログボックスＤＢ１の画像から変化し得るパーツを除いた画像を表わすもので、この画像は図８に示すようなものとなる。即ち、図示するように、給紙掲示欄Ｐ２の各表示フィールドｆ１１〜ｆ１６においては、サイズの文字列エリアａ２と、種類の文字列エリアａ３と、用紙残量メータａ４内と、ラジオボタンａ５内とが空欄となっており、排紙掲示欄Ｐ３の各表示フィールドｆ２１〜ｆ３１においては、付加情報の文字列エリアａ７と、チェックボックスａ８内とが空欄となっており、さらには、ウィンドウＰ４の内部、トナー残量メータＰ５の内部とが空欄となっている画像の画像データが、表示画像データとして表示画像メモリ３３に転送される。
【００８５】
続いて、ＣＰＵ３０は、前回処理時までにステップＳ４００で記憶した各種データｄ１〜ｄｎ（ここで、ｎは任意の正数）をＲＡＭ３２から読み込み（ステップＳ１３０）、その各種データｄ１〜ｄｎを、表示画像メモリ３３に格納される表示画像データの所望の領域にそれぞれ付加する（ステップＳ１４０）。この結果、表示画像メモリ３３に格納される表示画像データは、図９に示すように、ラジオボタンａ５、付加情報の文字列エリアａ７、およびチェックボックスａ８等に各種データｄ１〜ｄｎに基づく文字もしくは絵図が描画された画像を示すものとなる。なお、この時点で空欄となっているのは、給紙掲示欄Ｐ２におけるサイズの文字列エリアａ２および種類の文字列エリアａ３と、用紙残量メータａ４の内部と、ウィンドウＰ４の内部と、トナー残量メータＰ５の内部だけである。
【００８６】
ステップＳ１４０の実行後、ＣＰＵ３０は、現在使う状態にあるプリンタ１１０に対して、プリンタの状態についての情報を要求して（ステップＳ１５０）、プリンタ１１０から、そのプリンタ状態の情報を受け取る（ステップＳ１６０）。ここで、プリンタ状態の情報としては、レディ信号等のプリンタの動作状態を示す情報は勿論のこと、プリンタで使用されるトナー、給紙等の消耗品の残量を示す情報や、プリンタで操作パネルから設定された情報（給紙のサイズ、給紙の種類等）等も含まれる。プリンタ１１０，１２０は、プリンタの状態をトナー残量センサや給紙残量センサ等の各種センサやプリンタエンジンへの制御指令等から検出する機能を備えており、ステップＳ１５０，１６０によって、コンピュータ１０はそれらプリンタの状態を受け取る。
【００８７】
その後、ＣＰＵ３０は、ステップＳ１６０でプリンタ１１０から受け取ったプリンタ状態の情報から、給紙残量、トナー残量、プリンタの動作状態を示す表示データを生成して（ステップＳ１７０）、その表示データを、表示画像メモリ３３に格納される表示画像データの前記空欄となった各領域にそれぞれ付加する（ステップＳ１８０）。この結果、表示画像メモリ３３に格納される表示画像データは、図９の状態から、さらに、給紙掲示欄Ｐ２における文字列エリアａ２、文字列エリアａ３および用紙残量メータａ４と、ウィンドウＰ４と、トナー残量メータＰ５とに文字もしくは絵図が描画された画像を示すものとなる。
【００８８】
その後、ＣＲＴＣ３８により、表示画像メモリ３３に記憶される表示画像データに基づいてＣＲＴディスプレイ１２における画像の表示を制御する（ステップＳ１９０）。この結果、例えば図３に示すような、「プロパティ」のダイアログボックスＤＢ１がＣＲＴディスプレイ１２に表示されることになる。ステップＳ１９０の実行後、「リターン」に抜けてこの処理を一旦終了する。
【００８９】
こうしてＣＲＴディスプレイ１２に表示された「プロパティ」のダイアログボックスＤＢ１を用いて、その後、前述したようにデータ入力の作業がなされることになる（図６のステップＳ２００）。
【００９０】
以上のように構成されたこの第１実施例では、「プロパティ」のダイアログボックスＤＢ１が表示されるが、このダイアログボックスＤＢ１には、プリンタの外観を模式的に示す絵図の画像Ｐ１と、プリンタ１１０への給紙に関わる情報を示す給紙掲示欄Ｐ２と、プリンタ１１０からの排紙に関わる情報を示す排紙掲示欄Ｐ３とが、引き出し線Ｌ１１〜Ｌ１６，Ｌ２１〜Ｌ３１によって関連づけて表示される。
【００９１】
このため、給紙設定と排紙設定の両方を行なおうとする際に、従来のようにカードの切り替えを行なう必要がなく、また、給紙、印刷、排紙といった一連の処理の関わり合いを知ることができることから、データ入力の操作性が優れているという効果を奏する。特に、この実施例では、プリンタ１１０を画像Ｐ１で示される絵図から知ることができることから、表示が見易い。
【００９２】
また、この実施例では、給紙掲示欄Ｐ２には、給紙収納部である１つの用紙トレイと５つのカセットに対応するラジオボタンａ５が設けられており、このラジオボタンａ５をクリックすることにより、使用したい給紙収納部を選択することができる。このため、データ入力の操作性がより優れている。
【００９３】
さらに、この実施例では、各給紙収納部に対応して用紙残量メータａ４が表示されていることから、使用者は、プリンタ１１０が離れたところにあっても、用紙トレイやカセットの用紙残量を手元のコンピュータから知ることができる。このため、印刷処理の生産性を高めることができるといった効果を奏する。
【００９４】
この実施例では、排紙掲示欄Ｐ３には、排紙収納部である１０のビンと１つのフェイスダウントレイに対応するチェックボックスａ８が設けられており、このチェックボックスａ８をクリックすることにより、出力したい排紙収納部を選択することができる。このため、データ入力の操作性がより優れている。
【００９５】
この実施例では、各排紙収納部に対応して、「部長」、「課長」、「係長」等の使用者の識別名が示されていることから、使用者は自分の出力文書を探す手間を軽減することができる。このため、印刷処理の生産性をより高めることができる。
【００９６】
この実施例では、「プロパティ」のダイアログボックスＤＢ１に、プリンタ１１０の動作の状態を示すウィンドウＰ４が設けられている。このため、使用者は、プリンタ１１０が離れたところにあっても、プリンタ１１０の動作の状態を手元のコンピュータから知ることができる。この結果、印刷処理の生産性をより高めることができる。
【００９７】
この実施例では、「プロパティ」のダイアログボックスＤＢ１に、トナーの残量を示すトナー残量メータＰ５が設けられている。このため、トナーの残量を手元のコンピュータから知ることができる。この結果、印刷処理の生産性をより高めることができる。
【００９８】
第１実施例を変形することで、この発明の実施の他の形態について次に説明する。第１の変形例は次のようなものである。第１実施例では、排紙掲示欄Ｐ３における文字列エリアａ６に、ビン（フェイスダウントレイも含む）の使用権を表示していたが、この構成に加えて、この第１の変形例では、ビンにおける排紙の取り残しの有無もこの文字列エリアａ６に表示し得る構成とする。
【００９９】
図１０は、この変形例のダイアログボックス表示の処理で表示される「プロパティ」のダイアログボックス内の主要部分を示す説明図である。図示するように、排紙掲示欄Ｐ３における「ビン４」の表示フィールドｆ２４の文字列エリアａ６には、排紙の取り残しがあることを示す「排紙あり」との表示がなされる。
【０１００】
詳しくは、この第１の変形例におけるプリンタ１２０は、１０ビンマルチビンユニットの１０のビンと１つのフェイスダウントレイに、各ビン、トレイ毎に排紙の取り残しを検知する排紙取り残しセンサを備える構成とする。このセンサは、光学的に排紙の有無を検出するものである。そして、ＣＰＵで実行させるダイアログボックス表示処理ルーチンを次の構成に替える。すなわち、ダイアログボックス表示処理ルーチンのステップＳ１６０では、プリンタ状態として、上記排紙取り残しセンサの検出結果も受け取る構成とし、その上で、ステップＳ１７０ないしＳ１９０で、その検出結果から排紙の取り残しの有無について表示する構成とする。
【０１０１】
この構成によれば、使用者は、プリンタ１１０が離れたところにあっても、１０ビンマルチビンユニットやフェイスダウントレイに用紙が取り残されたことを手元のコンピュータから知ることができる。このため、印刷処理の生産性を、より一層高めることができるといった効果を奏する。
【０１０２】
第２の変形例を次に説明する。第１実施例では、排紙収納部である１０のビンと１つのフェイスダウントレイに対応する１１の表示フィールドｆ２１〜ｆ３１の全てに、排紙収納部の名前等が表示されており、これら収納部から排紙先として所望のものを選択することが可能となっている。しかしながら、これら１１の選択肢は必ずしも選択可能ではなく、印刷条件によっては選択不可能となり得ることがある。この第２の変形例は、印刷条件によって選択不可能となった排紙収納部の表示フィールドｆ２１〜ｆ３１を空欄で置き換える構成を備える。
【０１０３】
この第２の変形例は、第１実施例と比較して、ＣＰＵ３０で実行するダイアログボックス表示の処理が相違し、その他のソフトウェアおよびハードウェアは同一である。
【０１０４】
図１１は、ダイアログボックス表示の処理のこの変形例の特徴部分を示すフローチャートである。処理が開始されると、第１実施例と同じ処理をステップＳ１４０まで実行して、その後、ＲＡＭ３２から読み出した各種データｄ１〜ｄ７の内から排紙掲示欄Ｐ３の文字列エリアａ７に対応する項目を抽出し、これらデータの中にこのコンピュータ１０を使用している自身以外の識別名が記憶されているか否かを判別する（ステップＳ２４２）。ここで、肯定判別されると、この自身以外の識別名に対応するデータが転送された表示画像メモリの表示フィールドｆ２１〜ｆ３１の領域をスペースで置き替える（ステップＳ２４４）。その後、第１実施例と同じステップＳ１５０に処理を進める。
【０１０５】
なお、ステップＳ２４２で否定判別されたときには、ステップＳ２４４の処理を行なわずに、そのままステップＳ１５０に処理を進める。
【０１０６】
図１２は、この変形例のダイアログボックス表示の処理で表示される「プロパティ」のダイアログボックス内の主要部分を示す説明図である。図示するように、排紙掲示欄Ｐ３の第１の表示フィールドｆ２１と第３の表示フィールドｆ２３とが空欄となっている。両表示フィールドｆ２１，ｆ２３は、第１実施例では、「部長」、「係長」の使用権を示している。このコンピュータ１０の使用者が「課長」である場合、「部長」、「係長」の設定されている排紙収納部は選択することができない。この実施例では、図示するように、「部長」、「係長」に対応する表示フィールドｆ２１，ｆ２３は空欄となっていることから、選択できないことが一目でわかる。このため、データ入力の操作性がより一層優れているという効果を奏する。
【０１０７】
第３の変形例を次に説明する。第２の変形例では、排紙収納部の使用権によって表示フィールドｆ２１〜ｆ３１の表示を制限していたが、これに替えて、この第３の変形例では、ソータとしての使用の設定によって表示フィールドｆ２１〜ｆ３１の表示を制限する構成とした。
【０１０８】
図１３は、ダイアログボックス表示の処理のこの変形例の特徴部分を示すフローチャートである。処理が開始されると、第１実施例と同じ処理をステップＳ１４０まで実行して、その後、ＲＡＭ３２から読み出した各種データｄ１〜ｄ７の内から排紙掲示欄Ｐ３の文字列エリアａ７に対応する項目を抽出し、これらデータの中にソータとして使用する旨が記憶されているか否かを判別する（ステップＳ３４２）。ここで、肯定判別されると、そのソータとして使用する旨を示すデータが転送された表示画像メモリの表示フィールドｆ２１〜ｆ３１の領域をスペースで置き替える（ステップＳ３４４）。その後、第１実施例と同じステップＳ１５０に処理を進める。
【０１０９】
なお、ステップＳ３４２で否定判別されたときには、ステップＳ３４４の処理を行なわずに、そのままステップＳ１５０に処理を進める。
【０１１０】
図１４は、この変形例のダイアログボックス表示の処理で表示される「プロパティ」のダイアログボックス内の主要部分を示す説明図である。図示するように、排紙掲示欄Ｐ３のソータとの表示がなされている第４ないし第７の表示フィールドｆ２４〜ｆ２７以外の表示フィールドｆ２１〜Ｆ２３，ｆ２８〜ｆ３１は全て空欄となっている。
【０１１１】
一般に、ソータとしての使用を行なう場合、その使用が設定されていない排紙収納部は排紙の出力先として選択することができない。この第３の変形例では、図示するように、ソータとしての使用が設定されていない排紙収納部に対応する表示フィールドｆ２１〜ｆ２３，ｆ２８〜ｆ３１は空欄となっていることから、選択できないことが一目でわかる。このため、データ入力の操作性がより一層優れているという効果を奏する。
【０１１２】
第４の変形例を次に説明する。第２の変形例では、排紙収納部の使用権によって表示フィールドｆ２１〜ｆ３１の表示を制限し、第３の変形例では、ソータとしての使用の設定によってその表示を制限していたが、これに替えて、この第３４変形例では、設定された給紙の種類によって表示フィールドｆ２１〜ｆ３１の表示を制限する構成とした。
【０１１３】
図１５は、ダイアログボックス表示の処理のこの変形例の特徴部分を示すフローチャートである。処理が開始されると、第１実施例と同じ処理をステップＳ１４０まで実行して、その後、ＲＡＭ３２から読み出した各種データｄ１〜ｄ７の内から現在使用し得る状態にある給紙の種類を示すデータを抽出し、この給紙の種類によって送れない排紙収納部があるか否かを判別する（ステップＳ４４２）。ここで、肯定判別されると、その送れない排紙収納部に対応する表示画像メモリ上の表示フィールドｆ２１〜ｆ３１の領域をスペースで置き替える（ステップＳ４４４）。その後、第１実施例と同じステップＳ１５０に処理を進める。
【０１１４】
なお、ステップＳ４４２で否定判別されたときには、ステップＳ３４４の処理を行なわずに、そのままステップＳ１５０に処理を進める。
【０１１５】
図１６は、この変形例のダイアログボックス表示の処理で表示される「プロパティ」のダイアログボックス内の主要部分を示す説明図である。図示するように、給紙掲示欄Ｐ２の第１の表示フィールドｆ１１内のラジオボタンａ５がクリックされて、「ＯＨＰ」の用紙が選択されている場合、そのＯＨＰの用紙は、１０ビンマルチビンユニットから排出することができず、フェイスダウントレイからしか排出ができない。この実施例では、図示するように、フェイスダウントレイに対応した第１１の表示フィールドｆ３１以外の表示フィールドｆ２１〜ｆ３０は全て空欄となっている。このため、１０ビンマルチビンユニットは選択できないことが一目でわかる。このため、データ入力の操作性がより一層優れているという効果を奏する。
【０１１６】
なお、前記第２ないし第４の変形例では、印刷条件によって選択不可能となった表示フィールドｆ２１〜ｆ３１を空欄で置き換えるように構成されていたが、これら空欄は必ずしも印刷条件に従う固定的なものとする必要がない。使用者が自分にとって有効な排紙先と判断する表示フィールドについては、特定の操作、例えば、空欄となった表示フィールドのクリック等を行なうことで、その空欄となった表示フィールドを元の内容が書かれた状態に復元して、表示される表示フィールドの範囲を拡大する構成としてもよい。
【０１１７】
次に、この発明の第２実施例について説明する。第２実施例は、第１実施例と比較して、ダイアログボックス表示の処理によって表示される「プロパティ」のダイアログボックスの内容が相違するだけで、その他のソフトウェアおよびハードウェアについては同一の構成を備える。
【０１１８】
図１７は、この第２実施例における「プロパティ」のダイアログボックスＤＢ２を例示する説明図である。このダイアログボックスＤＢ２は、コンピュータネットワーク１５０に接続される２番目のプリンタ１２０（ここでは、機種名「ＰＲ−１１」であるものとする）のプリンタドライバから表示されるものである。この「プロパティ」のダイアログボックスＤＢ２には、「情報」、「詳細」、「共有」「用紙設定」、「詳細設定」、「ユーティリティ」の６種類のカードＣＤ１，ＣＤ２，ＣＤ３，ＣＤ４，ＣＤ５，ＣＤ６が用意されている。これらカードＣＤ１〜ＣＤ６の内のいずれかが、オペレータによって、マウス２０を操作することにより選択されて、ダイアログボックスＤＢ１に表示される。
【０１１９】
図１７には、「詳細設定」のカードＣＤ５が開かれたダイアログボックスＤＢ２が例示されている。ダイアログボックスＤＢ２の「詳細設定」のカードＣＤ５には、その中央に、略四角形の図形Ｐ１１が描かれ、その図形Ｐ１１の左側には、複数（この例では、３つ）の横長の長方形の図形Ｐ２１，Ｐ２２，Ｐ２３が接合され、図形Ｐ１１の右側には、複数（この例では、５つ）の横長の長方形の図形Ｐ３１，Ｐ３２，Ｐ３３，ｐ３４，Ｐ３５が接合されている。なお、各図形間の接合部分のラインは、消去されている。
【０１２０】
図形Ｐ１１は、プリンタ１１０に対応しており、図形Ｐ２１〜Ｐ２３は、プリンタ１１０にセットされた３つの給紙収納部に対応しており、図形Ｐ３１〜Ｐ３５は、プリンタ１１０にセットされた５つの排紙収納部に対応している。これら図形Ｐ１１、Ｐ２１〜Ｐ２３の内部には、それぞれの対応する部分における設定の内容が表示可能となっている。
【０１２１】
図形Ｐ１１は、前述したようにプリンタ１１０に対応していることから、その内部には、印刷品質に関わる基本設定についての情報が表示されている。詳しくは、「印刷品質」、「マイクロウィーブ」、「双方向印刷」、「カラー調整」についての情報が、表示エリアＥ１，Ｅ２，Ｅ３，Ｅ４に表示されている。
【０１２２】
「印刷品質」は、印刷する解像度を示すもので、「ドラフト」、「ファイン」、「スーパファイン」のいずれかが表示される。ここで、「ドラフト」、「ファイン」および「スーパファイン」は、順に、３６０×３６０（ｄｏｔ）、７２０×３６０（ｄｏｔ）、７２０×７２０（ｄｏｔ）の解像度を示すものである。「マイクロウィーブ」は、プリンタに備えられる機能であり、異なるヘッドが同一のラインを走査することで１つのドットを重ね打つことにより、印刷の品質を高めることができる。この機能がオンされているかオフされているかが示される。
【０１２３】
「双方向印刷」は、プリンタに備えられる機能であり、異なるヘッドが左右双方向から移動することにより、印刷の速度を高めることができる。この機能がオンされているかオフされているかが示される。「カラー調整」は、色補正に関わる各種の情報を設定するもので、「ドライバによる色補正」、「ビデオ／デジタルテレビカメラモード」、「ＩＣＭ」のいずれかが表示される。
【０１２４】
上記「印刷品質」、「マイクロウィーブ」、「双方向印刷」、「カラー調整」についての情報は、図形Ｐ１１の上側に設けたスライドレバー型のボタンＥ１０を調整することで設定される。
【０１２５】
詳細には、図１７に示すように、ボタンＥ１０として表示されるスライドレバーの両端には、「きれい」と「速い」の文字が明示されており、スライドレバーの部分をマウス２０によりドラックすることにより、「きれい」と「速い」の内のいずれかを選択することができる。なお、このボタンＥ１０による選択肢は、上記のように「きれい」と「速い」といったパラメータ値ではあるが、これは、設定される「用紙種類」のデータに「普通紙」が設定されているときのものである。これに対して、「用紙種類」のデータに他の用紙種類が設定されている場合には、他の複数パラメータ値、具体的には、「よりきれい」、「きれい」、「標準」、「速い」の内から選択した任意の２つのパラメータ値が表示される。なお、ここで「速い」とは、印刷速度は速いが、印刷品質がやや劣ることを意味しており、この「速い」も印刷品質の程度を定めるパラメータ値の一種である。
【０１２６】
上記「よりきれい」、「きれい」、「標準」、「速い」といったパラメータ値は、印刷の品質の程度を段階的に定めるものであり、このスライドレバー形のボタンＥ１０により一のパラメータ値が選択されると、このコンピュータ１０では、その選択されたパラメータ値から、前述した「印刷品質」、「マイクロウィーブ」、「双方向印刷」、「カラー調整」を求める処理を実行している。この求めた結果が、上記図形Ｐ１１の内部の表示エリアＥ１，Ｅ２，Ｅ３，Ｅ４に表示される。なお、これら表示エリアＥ１，Ｅ２，Ｅ３，Ｅ４は、マウスによってクリックされることで、複数の選択肢を格納するプルダウンメニューが開く構成となっており、このプルダウンメニューから所望のものを選択することで、「印刷品質」、「マイクロウィーブ」、「双方向印刷」、「カラー調整」の各項目の内容を変更することができる。
【０１２７】
図形Ｐ２１〜Ｐ２３の内部には、「用紙サイズ」、「用紙種類」、「印刷方向」についての情報がそれぞれ表示されている。これらの表示内容は、「用紙設定」のカードＣＤ４によって変更することができる。なお、この実施例では、図形Ｐ２１〜Ｐ２３の内部の記載から、「用紙サイズ」、「用紙種類」、「印刷方向」についての情報がわかるように構成されているだけであるが、これに替えて、第１実施例と同様に、ラジオボタン等により、図形Ｐ２１〜Ｐ２３から一を選択し得る構成とすることで、使用したい給紙収納部を選択できるようにしてもよい。
【０１２８】
図形Ｐ３１〜Ｐ３５は、前述したように、排紙収納部に対応しており、その内部にそれら排紙に関わる情報を表示する構成とすることもできる。なお、図示の例では、内部に特に表示を行なっていない。この内部には、第１実施例と同様に、チェックボックスを設けたり、「部長」、「課長」等で示す使用権を表示したり、ソータとして使用する旨を表示することができる。
【０１２９】
なお、図形Ｐ３１〜Ｐ３５の上部には、印刷部数を設定するためのデータ入力欄Ｅ１１が設けられている。
【０１３０】
以上のように表示内容が定められた「プロパティ」のダイアログボックスは、ＣＰＵ３０により実行されるダイアログボックス表示の処理ルーチンによって表示される。このダイアログボックス表示の処理ルーチンは、第１実施例のそれとほぼ同じものであり、ここでは詳しい説明を省略するが、要は、ベースとなる画像データを表示して、表示の内容が変化するパーツについては、前回処理時までに記憶した各種データから内容を定めて表示するように構成されている。
【０１３１】
以上のように構成されたこの第２実施例では、「プロパティ」のダイアログボックスＤＢ２が表示されるが、このダイアログボックスＤＢ１の「詳細設定」のカードには、プリンタに対応した図形Ｐ１１と、給紙収納部に対応した図形Ｐ２１〜Ｐ２３と、排紙収納部に対応した図形Ｐ３１〜Ｐ３５とが、接合した状態によって関連づけて表示される。
【０１３２】
このため、給紙設定と排紙設定の両方を行なおうとする際に、従来のようにカードの切り替えを行なう必要がなく、また、給紙、印刷、排紙といった一連の処理の関わり合いを知ることができることから、データ入力の操作性が優れているという効果を奏する。
【０１３３】
また、この第２実施例では、プリンタに対応した図形Ｐ１１の内部に、印刷品質に関わる基本設定についての情報が表示されていることから、使用者は、印刷品質に関わる基本設定についての情報を容易に知ることができる。この結果、データ入力の操作性がより優れている。
【０１３４】
さらに、それら基本設定についての情報は、マウス２０の操作により選択可能となり、その選択がなされたときに、プルダウンメニューからその情報を変更しうる構成となっていることから、基本設定を変更することが容易である。この結果、データ入力の操作性がより優れている。
【０１３５】
第２実施例を変形することで、この発明の実施の他の形態について次に説明する。図１８は、第２実施例の変形例における「プロパティ」のダイアログボックスＤＢ３を例示する説明図である。このダイアログボックスＤＢ３の「詳細設定」のカードＣＤ５には、第２実施例とほぼ同様の図形Ｐ１１、図形Ｐ２１〜Ｐ２３および図形Ｐ３１〜Ｐ３５が表示されている。第２実施例と比較して相違するのは、プリンタに対応する図形Ｐ１１に表示される内容が相違する。
【０１３６】
図示するように、この変形例では、図形Ｐ１１の内部には、プリンタにおける印刷時の用紙の搬送経路が、矢印の付いた線分ＬＮにより表示されている。この表示は、選択された給紙収納部から選択された排紙収納部までを、矢印の付いた線分ＬＮで結ぶことで行なう。
【０１３７】
こうした構成の変形例では、使用者は、プリンタにおける印刷時の用紙の搬送経路を知ることができる。この結果、給紙の位置や排紙先やその搬送経路を一目で知ることができる。
【０１３８】
なお、この変形例では、搬送経路を矢印の線分で表示していたが、用紙が順に移動していくようなアニメーション画像でその搬送経路を示す構成とすることもできる。
【０１３９】
さらには、排紙されたときの用紙の表裏を表示する構成とすることもできる。図１９は、排紙されたときの用紙の表裏を示す一例としてのダイアログボックスＤＢ４を例示する説明図である。図示するように、用紙の片面にハッチングを入れた画像ＰＰが表示されている。そのハッチング面は文書が描かれているものとして表面であることを示している。こうした構成の変形例によれば、用紙の表裏を容易に知ることができる。
【０１４０】
以上、本発明の実施例を詳述してきたが、本発明は、こうした実施例に何等限定されるものではなく、本発明の要旨を逸脱しない範囲において種々なる態様にて実施することができる。
【図面の簡単な説明】
【０１４１】
【図１】この発明の第１実施例を適用するコンピュータシステムのハードウェアの概略構成を示すブロック図である。
【図２】コンピュータ本体１６が扱う画像情報から印刷が行なわれるまでの処理の様子を示すブロック図である。
【図３】「プロパティ」のダイアログボックスＤＢ１を例示する説明図である。
【図４】「ビンネームの編集」のボタンｂｔ１がクリックされたときに表示される「ビンネームの編集」のウィンドウＷＤを示す説明図である。
【図５】ソータとして設定したときの排紙掲示欄Ｐ３の一例を示す説明図である。
【図６】ＣＰＵ３０で実行される情報設定処理ルーチンを示すフローチャートである。
【図７】ダイアログボックス表示の処理ルーチンを示すフローチャートである。
【図８】ベース画像データＤＴを示す説明図である。
【図９】各種データｄ１〜ｄｎの付加された後の表示画像データを示す説明図である。
【図１０】第１の変形例で表示される「プロパティ」のダイアログボックス内の主要部分を示す説明図である。
【図１１】第２の変形例におけるダイアログボックス表示の処理の特徴部分を示すフローチャートである。
【図１２】第２の変形例で表示される「プロパティ」のダイアログボックス内の主要部分を示す説明図である。
【図１３】第３の変形例におけるダイアログボックス表示の処理の特徴部分を示すフローチャートである。
【図１４】第３の変形例で表示される「プロパティ」のダイアログボックス内の主要部分を示す説明図である。
【図１５】第４の変形例におけるダイアログボックス表示の処理の特徴部分を示すフローチャートである。
【図１６】第４の変形例で表示される「プロパティ」のダイアログボックス内の主要部分を示す説明図である。
【図１７】第２実施例における「プロパティ」のダイアログボックスＤＢ２を例示する説明図である。
【図１８】第２実施例の変形例における「プロパティ」のダイアログボックスＤＢ３を例示する説明図である。
【図１９】排紙されたときの用紙の表裏を示す一例としてのダイアログボックスＤＢ４を例示する説明図である。
【符号の説明】
【０１４２】
１０...コンピュータ
１２...ＣＲＴディスプレイ
１６...コンピュータ本体
１８...キーボード
２０...マウス
２２...フロッピィディスク
２４...フロッピィディスクドライブ
３０...ＣＰＵ
３１...ＲＯＭ
３２...ＲＡＭ
３３...表示画像メモリ
３４...マウスインタフェース
３５...キーボードインタフェース
３６...ＦＤＣ
３７...ＨＤＣ
３８...ＣＲＴＣ
３９...プリンタインタフェース
４０...ネットワーク制御回路
４１...ＨＤＤ
５１...アプリケーションプログラム
５２...ビデオドライバ
５３...プリンタドライバ
５４...ラスタライザ
５５...色補正モジュール
５６...ハーフトーンモジュール
５７...情報設定モジュール
５７ａ...表示制御部
５７ｂ...プリンタ状態受取部
１００...コンピュータ
１１０，１２０...プリンタ
１３０...サーバ
１５０...コンピュータネットワーク
Ｐ１...画像
Ｐ２...給紙掲示欄
Ｐ３...排紙掲示欄
Ｐ４...ウィンドウ
Ｐ５...トナー残量メータ
ａ１...文字列エリア
ａ２...文字列エリア
ａ３...文字列エリア
ａ４...用紙残量メータ
ａ５...ラジオボタン
ａ６...文字列エリア
ａ７...文字列エリア
ａ８...チェックボックス
【図１】
2005293607.tif 000003
【図２】
2005293607.tif 000004
【図３】
2005293607.tif 000005
【図４】
2005293607.tif 000006
【図５】
2005293607.tif 000007
【図６】
2005293607.tif 000008
【図７】
2005293607.tif 000009
【図８】
2005293607.tif 000010
【図９】
2005293607.tif 000011
【図１０】
2005293607.tif 000012
【図１１】
2005293607.tif 000013
【図１２】
2005293607.tif 000014
【図１３】
2005293607.tif 000015
【図１４】
2005293607.tif 000016
【図１５】
2005293607.tif 000017
【図１６】
2005293607.tif 000018
【図１７】
2005293607.tif 000019
【図１８】
2005293607.tif 000020
【図１９】
2005293607.tif 000021